(57)【要約】【課題】この発明は、構成簡易にして、設置スペースの最小化を実現したうえで、容易な保守点検作業を実現し得るようにすることにある。【解決手段】機器筐体１０の点検窓１０１に対して点検扉１５を回動式に開閉自在に設けて、この点検扉１５の内面に防水パッキン１９を、鏡面を形成する押さえ金具２０を用いて組付け、点検扉１５を閉じた状態で、防水パッキン１９で外部からの水や埃の浸入を阻止し、点検扉１５を開いた状態で、押さえ金具２０で点検窓１０１内の電源スイッチ１６、リセットスイッチ１７及び保守用接続スイッチ１８の画像を映して外部から視認し得るように構成したものである。【選択図】図４
2010245197.tif 000002
【特許請求の範囲】
【請求項１】
屋外に設置され、外壁面に外部接続部及び保守点検部の配される点検窓が並設された機器筐体と、
この機器筐体の前記点検窓に回動式に開閉自在に設けられ、開状態で前記保守点検部を保守点検可能に開放し、閉状態で前記点検窓に圧接されて前記保守点検部を密閉収容する防水パッキン及び鏡面材が内面側に設けられている点検扉と、
を具備することを特徴とする屋外機器。
【請求項２】
前記外部接続部及び保守点検部は、前記機器筐体の設置面を除いた同一外壁面に並設されて配置されていることを特徴とする請求項１記載の屋外機器。
【請求項３】
前記鏡面材は、前記防水パッキンを前記点検扉の内面側に取り付ける押さえ金具であることを特徴とする請求項１又は２記載の屋外機器。
【請求項４】
さらに、前記点検扉は、前記機器筐体の点検窓に対して角度調整自在に設けられていることを特徴とする請求項１乃至３のいずれか記載の屋外機器。
【請求項５】
前記防水パッキンは、板状に形成されていることを特徴とする請求項１乃至４のいずれか記載の屋外機器。
【発明の詳細な説明】
【技術分野】
【０００１】
この発明は、例えば屋外基地局を構成する通信機器を含む電子機器に係り、特に、その屋外に設置して使用に供される屋外機器に関する。
【背景技術】
【０００２】
一般に、この種の屋外機器においては、電子回路ユニットを機器筐体に収容して、この機器筐体の外壁にいわゆる日除け部材が被着されて建屋の屋上等の壁面に設置されると共に、外部機器と配線接続されて所望の電子システムが構築される。このようにして、屋外機器は、例えば日除け部材により、機器筐体が直接的に風雨にさらされることがないように屋外に設置され、雨などの侵入の防止と共に、太陽光の直接的な照射防止対策が施されて使用に供される。
【０００３】
ところで、このような屋外機器は、いたずらがされ難い、その機器筐体の外壁に保守点検部を設けて、その設置状態において、この保守点検部を点検することで、電子システムの保守点検が行われている。
【０００４】
そこで、このような屋外機器においては、例えば保守部と機能部とを本体部に並設して設けて、この本体部の保守部及び機能部上に蓋部をスライド自在に設け、必要に応じて保守点検部の保守点検を行うようにした保守点検構成のものが提案されている（例えば、特許文献１参照。）。この保守点検構成では、保守点検時、蓋部を本体部に対してスライド移動させて、その機能部を閉塞して保守部を作業可能に開放し、蓋部を本体部に位置決めした状態で、開放された保守部の点検が行われる。
【先行技術文献】
【特許文献】
【０００５】
【特許文献１】特開２００７−７３８３９号公報
【発明の概要】
【発明が解決しようとする課題】
【０００６】
しかしながら、上記特許文献１に開示される屋外機器では、保守点検時、蓋部をスライドさせて位置決めさせて作業する構成のために、構造が複雑となると共に、大形となり、しかも、その蓋部をスライド移動させるための比較的広い設置スペースが必要となることで、設置スペースにも制約を受けるという問題を有する。
【０００７】
この発明は、上記の事情に鑑みてなされたもので、構成簡易にして、設置スペースの最小化を実現し得、且つ、容易な保守点検作業を実現し得るようにした屋外機器を提供することを目的とする。
【課題を解決するための手段】
【０００８】
この発明は、屋外に設置され、外壁面に外部接続部及び保守点検部の配される点検窓が並設された機器筐体と、この機器筐体の前記点検窓に回動式に開閉自在に設けられ、開状態で前記保守点検部を保守点検可能に開放し、閉状態で前記点検窓に圧接されて前記保守点検部を密閉収容する防水パッキン及び鏡面材が内面側に設けられている点検扉とを備えて屋外機器を構成した。
【０００９】
上記構成によれば、機器筐体は、取付壁等に設置されて、その外部接続部に対して外部機器が接続されると共に、点検扉が閉位置に回動されて、その防水パッキンが点検窓に圧接され、その保守点検部を点検窓内に密閉させた状態で運用に供される。そして、その保守点検部を点検する場合には、先ず、点検扉が開位置に開かれて点検窓が開放され、この状態で、点検扉の鏡面材を周囲から覗きこんで、点検窓内の保守点検部の状況を確認しながら所望の点検が行われ、点検後、点検扉が閉位置に反転されて、その防水パッキンが点検窓に圧接され、保守点検部を点検窓内に密閉収容させて運用に供される。
【００１０】
これにより、機器筐体の保守点検部を収容した点検窓に対して点検扉を回動式に開閉自在に設けるだけの簡単な構成で、その点検窓を、建屋の壁等に接近させて設置しても、保守点検部を視認しながらの保守点検作業が可能となるため、設置スペースの制約が軽減される。
【発明の効果】
【００１１】
以上述べたように、この発明によれば、構成簡易にして、設置スペースの最小化を実現し得、且つ、容易な保守点検作業を実現し得るようにした屋外機器を提供することができる。
【図面の簡単な説明】
【００１２】
【図１】この発明の一実施の形態に係る屋外機器を正面側から見た状態を示した平面図である。
【図２】図１の設置状態を側壁面側から見た状態を示した平面図である。
【図３】図１の設置状態を下方壁面側から見た状態を示した平面図である。
【図４】図１の底面に回動式に開閉自在に設けられる点検扉を分解して一部を断面して示した断面図である。
【図５】図４の点検扉を機器筐体の底面に回動式に開閉自在に取付け状態を説明するために一部を断面して示した断面図である。
【図６】図１の保守点検時、点検扉の押さえ金具を用いて点検窓内の保守点検部を視認する動作を説明するために要部を取出して示した平面図である。
【発明を実施するための形態】
【００１３】
以下、この発明の実施の形態について、図面を参照して詳細に説明する。
【００１４】
図１乃至図３は、この発明の一実施の形態に係る屋外機器の外観構成を示すもので、図１は、設置状態を正面側から見た状態を示し、図２は、設置状態を側壁面側から見た状態を示し、図３は、設置状態を下方壁面側から見た状態を示す。
【００１５】
即ち、機器筐体１０は、例えば箱状に形成され、図示しない電子ユニットが収容されて所望の通信システム等の電子システムが構築される。そして、この機器筐体１０には、例えばその底面に設置部１１が設けられ（図２参照）、この設置部１１が、建屋等の取付部１２に所定の間隙を有して取付けられて垂直状に設置される。
【００１６】
また、機器筐体１０には、例えば底面及び側壁のうち一面を除いた外周壁に太陽光遮蔽用の日除け部材１３が被着される。この日除け部材１３は、例えば金属材料で形成され、雨、風等が機器筐体１０に直接的に吹付けられるのを阻止すると共に、太陽光が直接的に機器筐体１０に照射するのを遮る。
【００１７】
さらに、機器筐体１０には、その側壁のうち、例えば設置状態で下面となる一面に外部接続部であるアンテナ接続部１４１、電源・信号ケーブル接続部１４２、光ケーブル接続部１４３及び接地部１４４が設けられると共に、点検扉１５が回動式に開閉自在に設けられている（図３参照）。
【００１８】
上記点検扉１５は、例えば図４及び図５に示すように四辺形状に形成され、上記機器筐体１０に設けられた凹状の点検窓１０１に対して回動式に開閉自在に組付けられる。この点検扉１５には、その一辺の両端部に回動軸１５１が設けられ、この回動軸１５１が、上記点検窓１０１の一側に設けられた回動孔部１０２に回動自在に挿入される。これにより、点検扉１５は、その回動軸１５１を中心として、図６に示すように点検窓１０１に対して回動されて該点検窓１０１を開閉する。
【００１９】
機器筐体１０の点検窓１０１内には、保守点検部を構成する、例えば電源スイッチ１６、リセットスイッチ１７及び保守用接続スイッチ１８が設けられ、これら電源スイッチ１６、リセットスイッチ１７及び保守用接続スイッチ１８は、上記電子ユニット（図示せず）に電気的に接続される。
【００２０】
また、上記点検扉１５には、その内壁にパッキン取付螺子孔部１５２が突設され、このパッキン取付螺子孔部１５２は、例えばシリコンゴム製の板状の防水パッキン１９に設けられた挿通孔１９１に挿通される。この防水パッキン１９は、上記点検窓１０１の周囲に当接可能に形成され、その上面には、鏡面材を構成する例えば板状の押さえ金具２０が積重される。
【００２１】
この押さえ金具２０は、例えばステンレス材で鏡面状に形成され、上記パッキン取付螺子孔部１５２に対応して挿通孔（図の都合上、図示せず）が形成されている。これにより、押さえ金具２０は、その挿通孔（図示せず）に対して取付螺子部材２１が挿通されて、該取付螺子部材２１が防水パッキン１９の挿通孔１９１に挿通された後、パッキン取付螺子孔部１５２に螺着されることで、防水パッキン１９を点検扉１０１の内面に位置決めして固定する。
【００２２】
そして、この押さえ金具２０は、点検扉１５の開状態において、その面上に機器筐体１０の上面方向と直交する方向に存在する点検窓１０１内の電源スイッチ１６、リセットスイッチ１７及び保守用接続スイッチ１８の画像を面上に映し出して、機器筐体１０の上面側からの視認を可能とする（図６参照）。この結果、機器筐体１０は、その保守点検部の配された壁面を、建屋の壁などの障害物に近接させた状態においても、点検窓１０１の押さえ金具２０を通して点検窓内の電源スイッチ１６、リセットスイッチ１７及び保守用接続スイッチ１８の視認を行うことで、その保守点検を行うことができる。
【００２３】
この防水パッキン１９の押さえ金具２０は、点検扉１５の回動軸１５１を機器筐体１０の回動孔部１０２に対して角度調整可能に組付けて構成した場合、点検扉１５の回動角に応じて反射角を調整することができることで、さらに、信頼性の高い画像の取得が可能となる。
【００２４】
また、点検扉１５には、その周囲の角部に固定用貫通孔部１５３が上記点検窓１０１の周囲に設けられた螺子孔１０３に対応して形成されている。これにより、点検扉１５は、その回動軸１５１を中心として閉方向に回動されて点検窓１０１を閉塞した状態で、その貫通孔部１５３に挿通された固定螺子部材２２が点検窓１０１の螺子孔１０３に螺着されて位置決めされる。
【００２５】
ここで、点検扉１５は、その防水パッキン２０が点検窓１０１の周囲に圧接されて該点検窓１０１を雨等の水や埃の浸入を阻止する密閉した状態で機器筐体１０に固定され、該点検窓１０１内の電源スイッチ１６、リセットスイッチ１７及び保守用接続スイッチ１８を保護する。この結果、点検窓１０１内に配置する電源スイッチ１６、リセットスイッチ１７及び保守用接続スイッチ１８は、例えば防水タイプを用いて構成しなくても、屋外において信頼性の高い使用を実現することが可能となる。
【００２６】
上記構成において、通常運用時、点検扉１５は、点検窓１０１を閉塞するように回動されて、その貫通孔部１５３に挿通された固定螺子部材２２が点検窓１０１の螺子孔１０３に螺着されて締め付けられると、上記防水パッキン１９が点検窓１０１の周囲に圧接されて該点検窓１０１を密閉し、機器筐体１０に固定される。ここで、点検扉１５の周囲からの点検窓１０１内への雨等の水や埃の浸入が防水パッキン１９により阻止されて、点検窓１０１内の電源スイッチ１６、リセットスイッチ１７及び保守用接続スイッチ１８は、水及び埃の影響を受けることなく、点検が可能な状態に保たれる。
【００２７】
そして、保守点検を行う場合には、上記固定螺子部材２２を点検窓１０１の螺子孔１０３から離脱させて、点検扉１５の開方向への回動を可能とした後、点検扉１５を回動軸１５１回りに回動させて点検窓１０１を開放する（図６参照）。ここで、点検扉１５は、点検窓１０１に対して該点検窓１０１内の電源スイッチ１６、リセットスイッチ１７及び保守用接続スイッチ１８の画像が押さえ金具２０に映し出されるように回動角を、機器筐体１０の上面方向から視認できるように設定する。
【００２８】
この状態において、作業者は、点検扉１５の押さえ金具２０に映し出される画像を視認しながら点検窓１０内の電源スイッチ１６、リセットスイッチ１７及び保守用接続スイッチ１８を操作して保守点検が行われる。
【００２９】
このように、上記屋外機器は、機器筐体１０の点検窓１０１に対して点検扉１５を回動式に開閉自在に設けて、この点検扉１５の内面に防水パッキン１９を、鏡面を形成する押さえ金具２０を用いて組付け、点検扉１５を閉じた状態で、防水パッキン１９で外部からの水や埃の浸入を阻止し、点検扉１５を開いた状態で、押さえ金具２０で点検窓１０１内の電源スイッチ１６、リセットスイッチ１７及び保守用接続スイッチ１８の画像を映して外部から視認し得るように構成した。
【００３０】
これによれば、点検扉１５が閉位置に回動されると、防水パッキン１９が機器筐体１０の点検窓１０１に圧接され、外部からの水及び埃の浸入を防止し、該点検扉１５が開位置に開かれて点検窓１０１が開放されると、点検扉１５の内面側の押さえ金具２０に点検窓１０１内の電源スイッチ１６、リセットスイッチ１７及び保守用接続スイッチ１８の画像が映し出され、その画像を視認しながら保守点検を行うことができる。この結果、機器筐体１０の点検窓１０１に対して点検扉１０１を回動式に開閉自在に設けるだけの簡単な構成で、その点検窓１０１を、建屋の壁等に接近させて設置しても、点検窓１０１内の保守点検作業が可能となるため、設置スペースの制約が軽減される。
【００３１】
なお、上記実施の形態では、点検扉１５とアンテナ接続部１４１等の外部接続部とを機器筐体１０の同一壁面に配置するように構成した場合について説明したが、これに限ることなく、例えば点検扉１５とアンテナ接続部１４１等を機器筐体１０の異なる壁面に配置するように構成することも可能である。
【００３２】
また、上記実施の形態では、点検扉１５に防水パッキン１９を組付けるための押さえ金具２０を、鏡面状に形成して、直接的に鏡面材として用いるように構成した場合で説明したが、これに限ることなく、その他、押さえ金具２０上に別体の鏡面材を被着するように構成してもよく、同様に有効な効果が期待される。
【００３３】
さらに、上記実施の形態では、板状の防水パッキン１９を用いて構成した場合について説明したが、これに限ることなく、各種形状の防水パッキン１９を用いて構成することが可能である。
【００３４】
また、上記実施の形態では、機器筐体１０の外周部に日除け部材１３を被着した筐体構造に適用した場合について説明したが、この筐体構造に限ることなく、各種の構成が可能で、同様に有効な効果が期待される。
【００３５】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３６】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【００３７】
１０…機器筐体、１０１…点検窓、１０２…回動孔部、１０３…螺子孔、１１…設置部、１２…取付部、１３…日除け部材、１４１…アンテナ接続部、１４２…電源・信号ケーブル接続部、１４３…光ケーブル接続部、１４４…接地部、１５…点検扉、１５１…回動軸、１５２…パッキン取付螺子孔部、１５３…貫通孔部、１６…電源スイッチ、１７…リセットスイッチ、１８…保守用接続スイッチ、１９…防水パッキン、１９１…挿通孔、２０…押さえ金具、２１…取付螺子部材、２２…固定螺子部材。
【図１】
2010245197.tif 000003
【図２】
2010245197.tif 000004
【図３】
2010245197.tif 000005
【図４】
2010245197.tif 000006
【図５】
2010245197.tif 000007
【図６】
2010245197.tif 000008